【事件の表示】
　平成６年特　許　願　第２０９３３２号「固体撮像素子及びその駆動方法」拒絶査定に対する審判事件（平成８年２月２７日出願公開、特開平８−５６３１２）について、次のとおり審決する。
【結論】
　本件審判の請求は、成り立たない。
【理由】
Ｉ【手続きの経緯、本願発明の要旨】
　本願は、平成６年８月１１日の出願であって、その請求項１に係る発明（以下、「本願発明」という。）は、平成９年２月１４日付けで補正された明細書及び図面の記載からみて、その特許請求の範囲の請求項１に記載された事項により特定されるとおりのものである。
「【請求項１】マトリクス状に配置され、垂直方向にテレビジョンフォーマットで規定される走査線数のｎ倍（ｎは整数）の画素数が配置された受光部と、
　前記受光部の垂直列毎に配置され前記受光部で光電変換された電荷を垂直方向に転送する垂直転送部と、
　前記垂直転送部から転送されてくる電荷を水平方向に転送する水平転送部と、
　を備え、
　前記受光部の垂直方向に連続するｎ個の受光部を１組とし、１組としたｎ個の前記受光部からの蓄積電荷を前記垂直転送部で混合して読み出し、且つ、隣合う組の前記受光部の蓄積電荷は前記垂直転送部にそれぞれ別々のタイミングで読み出すように構成された電極構造を有する固体撮像素子。」
ＩＩ【引用例】
　これに対して、原査定の拒絶の理由に引用された特開平５−９１４１７号公報（以下、「引用例１」という。）には、「固体撮像装置の駆動方法と固体撮像装置」（発明の名称）に関し、図面と共に次のとおりの記載がある。
▲１▼「【０００４】スチル（静止画）ビデオカメラ、画像入力装置、電子オーバーへッドプロジェクタ（ＯＨＰ）等の用途を考慮すると、垂直走査線５２５本系において、より多画素の装置が要求されている。
【０００５】本出願人は、理論計算、画像シミュレーションに基づき、最適な画素数について検討した結果、８０万画素程度の画素数であれば、上記用途に十分応じられるという結論を得た。この結論に基づき、８０万画素程度のＣＣＤ力ラーセンサにつき、種々の提案を行なっている。
【０００６】縦横のアスぺクト比が約３：４である画像について、８０万画素を配置する好ましい形態は、垂直方向に約１０００、水平方向に約８００の配置であることを解明した。
【０００７】すなわち、ホトダイオードを垂直方向に約１０００、水平方向に約８００、行列状に配置し、各列に隣接させて垂直方向に電荷を転送させるための垂直ＣＣＤ（ＶＣＣＤ）列を設け、これらのＶＣＣＤ列の出力端に水平方向に電荷を転送させるための水平ＣＣＤ（ＨＣＣＤ）行を設ける。
【０００８】垂直方向に配置された約１０００の画素から電荷を読み出すために、たとえば１行あたり２つの転送セルを含むＶＣＣＤを配置する。」　（公報第２頁左欄第４６行〜同頁右欄第１８行）
▲２▼「【００１３】図２に従来の技術による高解像度固体撮像装置を示す。図２（Ａ）は、撮像デバイスの構成を概略的に示す。多数個のホトダイオード３が行列状に配置されている。たとえば、１行約８００個のホトダイオードを約１０００行配置する。各列のホトダイオード３は、上からＡ１、Ｂ１、Ａ２、Ｂ２の４種類に分類されている。
【００１４】また、各列のホトダイオード３に隣接してＶＣＣＤ４が形成されている。ＶＣＣＤ４は、１行あたり２つの転送セルを有し、４行８−セルが１つのユニットとなっている。転送セルは半導体転送路上に絶縁電極を配置することによって構成される。１ユニットのセルには、上からＶ１、Ｖ２、Ｖ３、Ｖ４、Ｖ５、Ｖ２、Ｖ６、Ｖ４の制御信号が与えられている。
【００１５】各ホトダイオードに蓄積された電荷は、隣接するＶＣＣＤ４の対応するセルに高電圧を印加することによってホトダイオードからＶＣＣＤ４に移送される。ＶＣＣＤ４に移送された電荷は、ＶＣＣＤ４の電極に選択的に所定の電圧を順次印加することによって、ＶＣＣＤ４内を垂直下方に転送される。
【００１６】各ＶＣＣＤ４下端には、ＨＣＣＤ１０１が共通に隣接して配置されている。各ＶＣＣＤ４を下方に転送された電荷は、制御信号にしたがってＨＣＣＤ１０１に転送される。」（公報第２頁右欄第４３行〜第３頁左欄第１６行）
▲３▼「【００２９】モニタ時においては、簡便迅速に画像を再生するために、５００本系のＮＴＳＣ方式によることが望まれる。１０００本系の撮像装置を用い、５００本系のＮＴＳＣ方式画像を再生するためには、図３　（Ｃ）、（Ｄ）に示すような方式が提案されている。
・・・（中略）・・・
【００３５】図３（Ｄ）は、画素混合型の読み出し方式を説明する図である。第１のＶ期間である弔１フィールドにおいては、ホトダイオードＡ１とＢ１からの画像信号を読み出し、混合してモニタ信号を形成する。次のＶ期間である第２フィールドにおいては、ホトダイオードＡ２とＢ２からの画像情報を読み出し、混合してモニタ信号を形成する。このようにして、Ｖ２期間に全画素の情報を読み出す。」（公報第３頁右欄第３２行〜第４頁左欄第２４行）
▲４▼「【００４７】
【実施例】図１は、本発明の基本実施例を示す。図１（Ａ）は、固体撮像デバイスの構成を概略的に示す。多数のホトダイオード３が行列状に配置され、各列に配置されたホトダイオード３は、Ａ１、Ｂ１、Ａ２、Ｂ２の４種類に分類されているホトダイオード３の各列に隣接して対応するＶＣＣＤ４が配置されている。ＶＣＣＤ４には、ホトイオードの一行あたり２つの転送セルが形成されている。
【００４８】ＶＣＣＤ４の下端には、ＨＣＣＤ５が接続され、ＶＣＣＤを垂直方向に転送された電荷を水平方向に転送することができる。ＨＣＣＤ５の出力端にはアンプ８が接続されている。
・・・（中略）・・・
【００５０】図１（Ｂ）、（Ｃ）は、このような電荷読み出し方式を概略的に示している。すなわち、モニタモードでのホトダイオードからＶＣＣＤへの読み出しにおいては、第１のＶ期間にホトダイオードＡ１とＡ２からの電荷が読み出され、次のＶ期間にはホトダイオードＢ１とＢ２からの電荷が読み出される。
【００５１】このようにして、２Ｖを周期として全ホトダイオードからの電荷がＶＣＣＤ４に読み出される。なお、Ａ１とＢ１を同時に読み出し、Ａ２とＢ２とを次のＶ期間に読みだしてもよい。」（公報第４頁右欄第３９行〜第５頁左欄第１６行）
　また、同じく引用された特開昭６３−１１４３７７号公報（以下、「引用例２」という。）には「電荷転送撮像装置の駆動方法」（発明の名称）に関し、図面と共に次のとおりの記載がある。
▲１▼「標準テレビジョン方式に適合した２対１インターレース動作によるフィールド蓄積駆動の例を第５図に示す（公告昭６０−４６５９４）。
・・・（中略）・・・
（ａ），（ｃ）が第１フィールド、（ｂ），（ｄ）が第２フィールドに対応している。第１フィールドでは、ΦＶ１，ΦＶ４がＶＨ，ΦＶ２，ΦＶ３がＶＬの状態のとき期間▲１▼でΦＶ１をＶＨ状態にすることによってトランスファゲート領域をオン状態とし、フォトダイオード５１，５３に蓄積された信号電荷を対応する垂直シフトレジスタに読み出す。次に、期間▲２▼で前記信号電荷を１／２段垂直転送しΦＶ２，ΦＶ３下に蓄積する。その後、期間▲３▼でΦＶ２をＶＨ状態にし、フォトダイオード５２、５４に蓄積された信号電荷を読み出し、それぞれ５１、５３の信号電荷と混合され、前記混合電荷を第１フィールドの単位画素５７、５８の信号として順次出力する。また、第２フィールドでは、期間▲４▼でフォトダイオード５２に蓄積されている信号電荷を読み出し、期間▲５▼で１／２段垂直転送する。次に期間▲６▼でフォトダイオード５３に蓄積されている信号電荷を読み出し、前記信号電荷と混合し、第２フィールドの単位画素５９の信号として順次出力する。以上のようにして２対１のインターレース動作によるフィールド蓄積１駆動が実現できる。」　（公報第１頁右下欄第１５行〜第２頁右上欄第６行）
ＩＩＩ【対比】
　本願発明と引用例１記載の発明とを対比すると次のことが認められる。
１）引用例１には、ホトダイオードを垂直方向に約１０００、水平方向に約８００、行列状に配置し、各列に隣接させて垂直方向に電荷を転送させるための垂直ＣＣＤ（ＶＣＣＤ）列を設け、これらのＶＣＣＤ列の出力端に水平方向に電荷を転送させるための水平ＣＣＤ（ＨＣＣＤ）行を設けること（引用例１の上記▲１▼，▲２▼の記載参照）、およびモニタ時においては、簡便迅速に画像を再生するために、５００本系のＮＴＳＣ方式によることが望まれ、１０００本系の撮像装置を用い、５００本系のＮＴＳＣ方式画像を再生することが記載されている（引用例１の上記▲３▼の記載参照）。
　それらの記載によると、引用例１記載のものも垂直方向に約１０００のホトダイオードを有し、その画素数は、ＮＴＳＣ方式の垂直走査線の約５００本系の２倍であるといえ、しかも本願発明の「ｎ倍（ｎは整数）」は、「２倍」を含むものであるから、引用例１に記載のものも、本願発明でいう「マトリクス状に配置され、垂直方向にテレビジョンフォーマットで規定される走査線数のｎ倍（ｎは整数）の画素数が配置された受光部」を備えるものといえ、また引用例１記載の「垂直ＶＣＣＤ（ＶＣＣＤ）」および「水平ＣＣＤ（ＨＣＣＤ）」が、それぞれ本願発明の「垂直転送部」および「水平転送部」に相当することも明らかである。
２）引用例１には、第１フィールドにおいては、ホトダイオードＡ１とＢ１からの画像信号を読み出し、混合してモニタ信号を形成し、次のＶ期間である第２フィールドにおいては、ホトダイオードＡ２とＢ２からの画像情報を読み出し、混合してモニタ信号を形成し、２Ｖ期間に全画素の情報を読み出すことが記載されており（引用例１の上記▲３▼の記載参照）、そのホトダイオードＡ１とＢ１およびＡ２とＢ２とは、それぞれ垂直方向に連続する２個のホトダイオードを１組としてあり、その１組とした２個のホトダイオードからの電荷が混合して読み出されるものであるから、本願発明の「前記受光部の垂直方向に連続するｎ個の受光部を１組とし、１組としたｎ個の前記受光部からの蓄積電荷を」、「混合して読み出し」に対応するものといえ、また引用例１には、モニタモードでのホトダイオードからＶＣＣＤへの読み出しにおいては、第１のＶ期間にホトダイオードＡ１とＡ２からの電荷が読み出され、次のＶ期間にはホトダイオードＢ１とＢ２からの電荷が読み出され、２Ｖを周期として全ホトダイオードからの電荷がＶＣＣＤに読み出されると記載され、なお、Ａ１とＢ１を同時に読み出し、Ａ２とＢ２とを次のＶ期間に読み出してもよいと記載されており（引用例１の上記▲４▼の記載参照）、そこには、本願発明でいう「隣合う組の前記受光部の蓄積電荷は前記垂直転送部にそれぞれ別々のタイミングで読み出すように構成された電極構造」も示されているといえる。
３）引用例１に記載のものも、本願発明と同様「固体撮像素子」を対象としている点でも変わりがない。
４）以上の１）〜３）の点を踏まえると、両者は、「マトリクス状に配置され、垂直方向にテレビジョンフォーマットで規定される走査線数のｎ倍（ｎは整数）の画素数が配置された受光部と、
　前記受光部の垂直列毎に配置され前記受光部で光電変換された電荷を垂直方向に転送する垂直転送部と、
　前記垂直転送部から転送されてくる電荷を水平方向に転送する水平転送部と、
　を備え、
　前記受光部の垂直方向に連続するｎ個の受光部を１組とし、１組としたｎ個の前記受光部からの蓄積電荷を読み出して、且つ、隣合う組の前記受光部の蓄積電荷は前記垂直転送部にそれぞれ別々のタイミングで読み出すように構成された電極構造を有する固体撮像素子。」である点で一致し、
次の点で相違する。
　１組としたｎ個の受光部からの蓄積電荷を、本願発明では、「前記垂直転送部で混合して」いるのに対して、引用例１には、そのことが明確に記載されていない点（相違点）。
ＩＶ【判断】
　そこで、上記相違点について検討する。
　固体撮像素子において、１組とした２個の受光部からの蓄積電荷を垂直転送部で混合して読み出すことは、引用例２にも示されているように周知であるから（引用例２の上記▲１▼の記載参照）、引用例１に記載のものにおいて、１組としたホトダイオード（Ａ１とＢ１、Ａ２とＢ２）からの電荷を、本願発明のように「垂直転送部で混合して」読み出すようにする程度のことは当業者が容易になし得ることである。
　そして、本願発明の効果についてみても引用例１及び２記載のものから予測し得る範囲内のもので格別顕著なものとはいえない。
Ｖ【むすび】
　したがって、本願発明は、引用例１及び２に記載された発明に基づいて当業者が容易に発明をすることができたものであるから、特許法第２９条第２項の規定により特許を受けることができない。
　よって、結論のとおり審決する。